(57)【要約】      （修正有）【課題】清掃部材が下水管へと容易に挿入でき、排水管内及び下水管内部が容易に清掃でき、わざわざ清掃用口を排水機器や床面に構成する必要がなく、清掃部材が挿通しがたい横管に、容易に清掃部材が挿通出来る排水管の接続具を提供する【解決手段】水が発生する機器の排水を下水へと排水する排水機器１と、排水機器１からの排水を下水へと排水する、室内空間７に配管された排水管２と、排水管２からの排水を下水へと排水する、床下空間８に配管された下水管３と、前記排水管２と前記下水管３を水密的に接続する床下空間８に位置される接続具４と、から構成される排水管の接続具において、前記接続具４に、下水管３の清掃を行う清掃部材６を下水管３の下流側へ挿入するための挿入口５を構成したことを特徴とする。【選択図】図１
2006219961.tif 000002
【特許請求の範囲】
【請求項１】
排水が発生する機器の排水を下水へと排水する排水機器１と、
排水機器１からの排水を下水へと排水する、室内空間７に配管された排水管２と、
排水管２からの排水を下水へと排水する、床下空間８に配管された下水管３と、
前記排水管２と前記下水管３を水密的に接続する床下空間８に位置される接続具４と、
から構成される排水管の接続具において、
前記接続具４に、下水管３の清掃を行う清掃部材６を下水管３の下流側へ挿入するための挿入口５を構成したことを特徴とする排水管の接続具。
【請求項２】
前記排水管２と下水管３が連絡するために、室内の床面９に開口された連絡口１０を構成し、
連絡口１０に覆い被さる様に取り付けられる板状のプレートに排水管２が貫通する開口を構成した目隠しプレート１５とを構成し、更に当該目隠しプレート１５に、下水管３の清掃を行う清掃部材６を下水管３の下流側へ挿入するための挿入口５を構成したことを特徴とする前記請求項1に記載の排水管の接続具。
【請求項３】
前記床面９に、下水管３の清掃を行う清掃部材６を下水管３の下流側へ挿入するための挿入口５を構成し、且つ接続具４の挿入口５とを連結管１４を介して水密的に接続したことを特徴とする前記請求項1に記載の排水管の接続具。
【請求項４】
前記挿入口５を、床面９に対し斜め上方へ延出して構成したことを特徴とする前記請求項1乃至請求項３のいずれか一つに記載の排水管の接続具。
【請求項５】
前記挿入口５を水密的に封止するキャップ部材１１を構成したことを特徴とする請求項１乃至請求項４のいずれか一つに記載の排水管の接続具。
【発明の詳細な説明】
【技術分野】
【０００１】
本発明は、洗面台や流し台などの、排水機器に用いられる排水管の接続具に関するものである。
【背景技術】
【０００２】
従来より、排水管の接続具は、図１３に示したように、下記に記載する排水機器、排水管、下水管、接続具、目隠しプレートから構成される。
排水機器は、例えば、洗面台や流し台などの排水が発生する機器であり、当該排水機器の排水を下水へと排水する。また、当該従来例では、排水機器として、台所の流し台を用いる。また、床面には配管接続用の連絡口が構成されている。
排水管は、流し台からの排水を後記する下水管へと排水する管体であって、室内空間に配管されるものを指す。また、本実施例では当該排水管に排水の溜まり部分を設けた排水トラップ（この排水の溜まり部分によって下水側から臭気や害虫類が逆流しないようにする）を構成している。なお、排水管は連絡口を介して後記する下水管へと差し込まれて配管される。
下水管は、排水管からの排水を下水へと排水するため、床下空間に配管された管体であり、最終的には、下水へと配管される。
接続具は、軟質部材から構成され、前記排水管と下水管の接続を水密的に行う、断面視逆凹状の円筒部材であって、天面の中心部から下方向に向かって延出して構成される開口部が構成され、当該開口部に前記排水管が水密的に差し込まれる。また、接続部の内周と開口部の外周の間に前記下水管が水密的に差し込まれて構成される。このように排水管と下水管の両者を水密的に接続するので、下水からの臭気や、床下空間や下水管からの害虫が室内へ進入することを防ぐ。
目隠しプレートは、前記床面の連絡口に着脱自在に取り付けられる部材であり、板状且つ円盤状のプレートで、排水管が貫通される開口が構成される。そして、床下空間が室内側から目視出来ない構成であり、且つ床下空間の害虫が室内側へ逆流することを防ぐ。
【０００３】
当該従来例の排水管の接続具の施工方法としては、
床下空間には、下水管の端部が床下の連絡口に配置されるよう予め下水管が配管されている。
室内空間側の排水機器に排水管を接続し、その排水管に目隠しプレートの開口を予め挿入しておく。更に排水管に、接続具の開口部を挿入しておく。そして、排水管を床面の連絡口を介し床下空間の下水管に挿入する。このとき、接続具の開口部と外周の間に下水管を挟み込むように取り付けることで、排水管は接続具の開口部と、下水管は開口部と外周との隙間に水密的に当接され、下水管と排水管は接続具を介して水密的に接続される。そして、排水管に予め挿入しておいた目隠しプレートを前記床面の連絡口に挿入し、施工が完了する。
【０００４】
このようにして配管された排水管の接続具は、排水機器から排水が発生すると、排水は排水機器から排水管内部を流下し、接続具を介して下水管へと流れ込む。その後、下水管内の排水は、最終的に下水へと排水される。
【０００５】
また、上記の従来例において、排水管内の清掃を行う際は、高圧洗浄用の管体や、カンツール法のワイヤーなどを排水機器の排水口から挿入し、内部の清掃を行う。また、下水管内の清掃を行う際は、キャビネット内の荷物を取り出すとともに排水管を分解して、床面の連絡口から目隠しプレートを取り外してから、排水管と下水管の接続を行っている接続具を取り外し、下水管の開口から直接的に高圧洗浄用の管体や、カンツール法のワイヤーなどを挿入して清掃していた。
【０００６】
【特許文献１】実開昭４９−１８８５３号公報（図１、図３）
【特許文献２】実公昭４４−２５８８８号公報（図１乃至図３）
【発明の開示】
【発明が解決しようとする課題】
【０００７】
ところで、上記のような従来例においては、排水管の内部を清掃する際、高圧洗浄法と呼ばれる、耐圧で且つ可撓性を有する高圧洗浄管を排水口から排水配管内に押し込み、高圧洗浄管より水を高圧で放出させ、清掃させる方法がある。また、排水管や下水管内に詰まった排水ゴミを洗浄する方法として、カンツール法と呼ばれる洗浄方法もある。この方法は、排水管や下水管内に詰まった排水ゴミを、ワイヤーを排水口から挿入して排水ゴミを刮ぎ落とす方法である。（以下、高圧洗浄用管体やカンツール用ワイヤーを「清掃部材」と記載する）
このいずれかの方法を行う場合、略Ｓ字形状に屈曲した排水トラップによって排水管が屈曲しているため、排水機器の排水口から清掃部材を挿入した際、清掃部材がＳ字の先端までしか入りきれず、封水から下水管に至る排水管と下水管内を完全に洗浄を行うことができなかった。
また、床下空間に配置される下水管の管内の清掃は、従来であれば建物の外部に存在する清掃用口から清掃部材を挿入して下水管の清掃を行っていたり、前記したように排水管及び接続具を分解してから下水管に直接的に挿入しなければならなかった。
ところが、床下空間は使用者や清掃作業者にとって直接的に清掃を行いにくい場所であること、また、排水機器の直下部分は排水機器自身が邪魔となる上に、キャビネット内の収納空間が邪魔であることから、非常に清掃作業者にとって作業し難かった。そして、清掃用口を排水機器や室内側の空間に構成することは、清掃口から下水管まで別部材で配管しなくてはいけないことや、清掃用開口をわざわざ開口しなくては成らないことから、作業工数・施工手順増につながるから、当該構成は避けたかった。
また、特に排水管の直下部分の下水管は、排水管から下水へと、横管となる場合が多く、外部に構成した清掃口からでは清掃部材が届かない箇所があった。
【０００８】
以上のことから、本願発明の排水管の接続具は、
１．清掃部材が下水管へと容易に挿入できること
２．排水管内及び下水管内部が容易に清掃できること
３．わざわざ清掃用口を排水機器や床面に構成する必要がないこと
４．下水管の、清掃部材が挿通しがたい横管に、容易に挿通出来ること
の、いずれも解消できる排水管の接続具を提供する。
【課題を解決するための手段】
【０００９】
請求項１に記載の排水管の接続具は、排水が発生する機器の排水を下水へと排水する排水機器１と、排水機器１からの排水を下水へと排水する、室内空間７に配管された排水管２と、排水管２からの排水を下水へと排水する、床下空間８に配管された下水管３と、前記排水管２と前記下水管３を水密的に接続する床下空間８に位置される接続具４と、から構成される排水管の接続具において、前記接続具４に、下水管３の清掃を行う清掃部材６を下水管３の下流側へ挿入するための挿入口５を構成したことを特徴とする排水管の接続具である。
【００１０】
請求項２に記載の排水管の接続具は、前記排水管２と下水管３が連絡するために、室内の床面９に開口された連絡口１０を構成し、連絡口１０に覆い被さる様に取り付けられる板状のプレートに排水管２が貫通する開口を構成した目隠しプレートとを構成し、更に当該目隠しプレートに、下水管３の清掃を行う清掃部材６を下水管３の下流側へ挿入するための挿入口５を構成したことを特徴とする前記段落０００９に記載の排水管の接続具      である。
【００１１】
請求項３に記載の排水管の接続具は、前記床面９に、下水管３の清掃を行う清掃部材６を下水管３の下流側へ挿入するための挿入口５を構成し、且つ接続具４の挿入口５とを連結管１４を介して水密的に接続したことを特徴とする前記段落０００９に記載の排水管の接続具である。
【００１２】
請求項４に記載の排水管の接続具は、前記挿入口５を、床面９に対し斜め上方へ延出して構成したことを特徴とする前記段落０００９乃至段落００１１のいずれか一つに記載の排水管の接続具である。
【００１３】
請求項５に記載の排水管の接続具は、前記挿入口５を水密的に封止するキャップ部材１１を構成したことを特徴とする前記段落０００９請求項１乃至前記段落００１２のいずれか一つに記載の排水管の接続具である。
【発明の効果】
【００１４】
本発明の排水管２の接続具４によれば、以下の効果を奏する。
１．請求項１に記載の発明によれば、前記接続具４に、下水管３の清掃を行う清掃部材６を下水管３の下流側へ挿入するための挿入口５を構成したことから、清掃部材６が下水管３へと容易に挿入でき、排水管２内及び下水管３内部が容易に清掃できるようになった。また、わざわざ清掃用口を排水機器１に構成する必要がなく、比較的部材単価の安価な接続具４のみで清掃部材６が挿入できるため、コストダウンを行うことが出来る。また、比較的下水管３の横管近傍に挿入口５が構成されるため、下水管３の清掃部材６が挿通しがたい横管に容易に挿通出来ることができるようになった。
２．請求項２に記載の発明によれば、目隠しプレート１５に、下水管３の清掃を行う清掃部材６を下水管３の下流側へ挿入するための挿入口５を構成したことから、清掃部材６が下水管３へと容易に挿入でき、排水管２内及び下水管３内部が容易に清掃できるようになった。また、わざわざ清掃用口を排水機器１に構成する必要がなく、比較的部材単価の安価な接続具４のみで清掃部材６が挿入できるため、コストダウンを行うことが出来る。また、比較的下水管３の横管近傍に挿入口５が構成されるため、下水管３の清掃部材６が挿通しがたい横管に容易に挿通出来ることができるようになった。
３．請求項３に記載の発明によれば、床面９に、下水管３の清掃を行う清掃部材６を下水管３の下流側へ挿入するための挿入口５を構成し、且つ接続具４の挿入口５とを連結管１４を介して水密的に接続したことから、床下空間８内に作業者が手を入れなくても、室内側から挿入口５のキャップ部材１１を取り外すのみで清掃部材６を下水管３内へ挿入することができる。
４．請求項４に記載の発明によれば、挿入口５を、床面９に対し斜め上方へ延出して構成したことから、清掃部材６の管体の曲げＲ（屈曲角度）を緩やかにすることができるため、清掃部材６が下水管３内周面に擦れて削れ傷を作ることなく円滑に下流へと導入させることができる。
５．請求項５に記載の発明によれば、挿入口５を水密的に封止するキャップ部材１１を構成したことから、下水側から、排水の臭気や害虫が室内側へと逆流することがない。
【実施例】
【００１５】
本願発明においての室内空間７とは、建物の中で生活者が居住し、尚且つ生活者が直接的に触れることのできる空間を指し、床下空間８とは、建物の中で室内空間７の床面９より下方空間で、使用者や作業者が直接的に手に触れることができない、下水管３等の管体が配置される箇所を指す。そして、洗面台や流し台の排水機器１においては、はかま空間部分（図示ＨＳ）も使用者や作業者が直接的に触れることができないので、それらも含む。
【００１６】
以下に本発明の実施例を、図面１乃至６を参照しつつ説明する。本発明の排水管２の接続具４は、下記に記載する排水機器１、排水管２、下水管３、接続具４、目隠しプレート１５から構成される。
排水機器１は、例えば、洗面台や流し台などの排水が発生する機器であり、当該排水機器１の排水を下水へと排水する。また、本実施例では、排水機器１として、キャビネットを有した台所の流し台を用いる。また、キャビネットの床面９には配管接続用の連絡口１０が開口されている。
排水管２は、流し台からの排水を後記する下水管３へと排水する管体であって、室内空間７に配管されるものを指す。また、本実施例では当該排水管２に排水の溜まり部分を設けた排水トラップ１２（この排水の溜まり部分によって下水側から臭気や害虫類が逆流しないようにする）を構成している。なお、排水管２は連絡口１０を介して後記する下水管３へと差し込まれて配管される。
下水管３は、排水管２からの排水を下水へと排水するため、床下空間８に配管された管体であり、最終的には、下水へと配管される。
接続具４は、図４又は図５に示したように、軟質部材から構成され、前記排水管２と下水管３の接続を水密的に行う、断面視逆凹状の円筒部材であって、天面の中心部から下方向に向かって延出して構成される開口部１３が構成され、当該開口部１３に前記排水管２が水密的に差し込まれる。また、接続部の内周と開口部１３の外周の間に前記下水管３が水密的に差し込まれて構成される。このように排水管２と下水管３の両者を水密的に接続するので、下水からの臭気や、床下空間８や下水管３からの害虫が室内へ進入することを防ぐ。
また、当該接続具４は、床面９に対して斜め上方へ延出して構成される、清掃部材６を挿入するための挿入口５が構成され、また当該挿入口５には、挿入口５に対して着脱自在且つ水密的に取り付けられるキャップ部材１１を取り付ける。
目隠しプレート１５は、前記床面９の連絡口１０に着脱自在に取り付けられる部材であり、円盤状のプレートで、排水管２が貫通される開口が構成される。そして、床下空間８が室内側から目視出来ない構成であり、且つ床下空間８の害虫が室内側へ逆流することを防ぐ。
【００１７】
当該実施例の排水管２の接続具４の施工方法としては、
床下空間８には、下水管３の端部が床下の連絡口１０に配置されるよう予め下水管３が配管されている。
予め接続具４の挿入口５にキャップ部材１１を水密的に取り付けておく。
室内空間７側の排水機器１に排水管２を接続し、その排水管２に目隠しプレート１５の開口を予め挿入しておく。更に排水管２に、接続具４の開口部１３を挿入しておく。そして、排水管２を床面９の連絡口１０を介し床下空間８の下水管３に挿入する。このとき、接続具４の開口部１３と外周の間に下水管３を挟み込むように取り付けることで、排水管２は接続具４の開口部１３と、下水管３は開口部１３と外周との隙間に水密的に当接され、下水管３と排水管２は接続具４を介して水密的に接続される。そして、排水管２に予め挿入しておいた目隠しプレート１５を前記床面９の連絡口１０に挿入し、施工が完了する。
【００１８】
このようにして配管された排水管２の接続具４は、排水機器１から排水が発生すると、排水は排水機器１から排水管２内部を流下し、接続具４を介して下水管３へと流れ込む。その後、下水管３内の排水は、最終的に下水へと排水される。
【００１９】
また、本実施例の排水管２内の清掃を行う際は、清掃部材６を排水機器１の排水口１６から挿入し、内部の清掃を行う。また、下水管３内の清掃を行う際は、図６に示したように床面９の連絡口１０から目隠しプレート１５を取り外すとともに接続具４のキャップ部材１１を取り外し、且つ挿入口５から清掃部材６を挿入する。そうすることで、下水管３内の清掃を容易且つスムーズに行うことが出来る。そして、清掃が終了すると、キャップ部材１１を挿入口５に取り付け、目隠しプレート１５を連絡口１０に取り付けて下水管３の清掃は終了する。このとき、挿入口５は床面９に対して斜め上方へ向けて延出して構成されているため、清掃部材６は、スムーズに下水管３内へと挿入する事が出来、下水管３内周面を清掃部材６によって傷つけることなく下水管３下流へと挿入することができる。
【００２０】
次に、第２実施例を説明する。第２実施例の排水管２の接続具４は、図７乃至図１１に示したように、下記に記載する排水機器１、排水管２、下水管３、接続具４、目隠しプレート１５から構成される。
排水機器１は、例えば、洗面台や流し台などの排水が発生する機器であり、当該排水機器１の排水を下水へと排水する。また、本実施例では、排水機器１として、洗面台（図示せず）を用いる。また、床面９には配管接続用の連絡口１０が構成されている。
排水管２は、流し台からの排水を後記する下水管３へと排水する管体であって、室内空間７に配管されるものを指す。また、本実施例では当該排水管２に排水の溜まり部分を設けた排水トラップ１２（この排水の溜まり部分によって下水側から臭気や害虫類が逆流しないようにする）を構成している。なお、排水管２は連絡口１０を介して後記する下水管３へと差し込まれて配管される。
下水管３は、排水管２からの排水を下水へと排水するため、床下空間８に配管された管体であり、最終的には、下水へと配管される。
接続具４は、図４又は図５に示したように、軟質部材から構成され、前記排水管２と下水管３の接続を水密的に行う、断面視逆凹状の円筒部材であって、天面の中心部から下方向に向かって延出して構成される開口部１３が構成され、当該開口部１３に前記排水管２が水密的に差し込まれる。また、接続部の内周と開口部１３の外周の間に前記下水管３が水密的に差し込まれて構成される。このように排水管２と下水管３の両者を水密的に接続するので、下水からの臭気や、床下空間８や下水管３からの害虫が室内へ進入することを防ぐ。
また、当該接続具４は、床面９に対して斜め上方へ延出して構成される、清掃部材６が挿入するための挿入口５が構成され、また当該挿入口５には、挿入口５に対して着脱自在且つ水密的に取り付けられるキャップ部材１１を取り付ける。
目隠しプレート１５は、図９又は図１０に示したように、前記床面９の連絡口１０に着脱自在に取り付けられる部材であり、円盤状のプレートで、排水管２が貫通される開口が構成される。また、本実施例においては、床面９に対して斜め上方へ延出して挿入口５が構成され、また当該挿入口５には、挿入口５に対して着脱自在且つ水密的に取り付けられるキャップ部材１１が取り付けられる。また、当該目隠しプレート１５は床下空間８が室内側から目視出来ない構成であり、且つ床下空間８の害虫が室内側へ逆流することを防ぐ。
【００２１】
当該実施例の排水管２の接続具４の施工方法としては、
床下空間８には、下水管３の端部が床下の連絡口１０に配置されるよう予め下水管３が配管されている。
予め接続具４及び目隠しプレート１５の挿入口５にはキャップ部材１１を水密的に取り付けておく。
室内空間７側の排水機器１に排水管２を接続し、その排水管２に目隠しプレート１５の開口を予め挿入しておく。更に排水管２に、接続具４の開口部１３を挿入しておく。そして、排水管２を床面９の連絡口１０を介し床下空間８の下水管３に挿入する。このとき、接続具４の開口部１３と外周の間に下水管３を挟み込むように取り付けることで、排水管２は接続具４の開口部１３と、下水管３は開口部１３と外周との隙間に水密的に当接され、下水管３と排水管２は接続具４を介して水密的に接続される。そして、排水管２に予め挿入しておいた目隠しプレート１５を前記床面９の連絡口１０に挿入し、施工が完了する。
【００２２】
このようにして配管された排水管２の接続具４は、排水機器１から排水が発生すると、排水は排水機器１から排水管２内部を流下し、接続具４を介して下水管３へと流れ込む。その後、下水管３内の排水は、最終的に下水へと排水される。
【００２３】
また、本実施例の排水管２内の清掃を行う際は、清掃部材６を排水機器１の排水口１６から挿入し、内部の清掃を行う。また、下水管３内の清掃を行う際は、図１１に記載したように床面９の連絡口１０から目隠しプレート１５を一時的に取り外し、接続具４のキャップ部材１１を取り外す。そして、再度連絡口１０に目隠しプレート１５を取り付け、目隠しプレート１５の挿入口５のキャップ部材１１も取り外す。そして、目隠しプレート１５の挿入口５から清掃部材６を挿入し、そして接続具４の挿入口５から清掃部材６を挿入する。そうすることで、下水管３内の清掃を容易且つスムーズに行うことが出来る。そして、清掃が終了すると、目隠しプレート１５を一時的に取り外し、キャップ部材１１を接続具４の挿入口５に取り付け、目隠しプレート１５を床面９の連絡口１０に取り付け、目隠しプレート１５の挿入口５にもキャップ部材１１を取り付ける。そうして下水管３の清掃は終了する。このとき、目隠しプレート１５及び接続具４の挿入口５は床面９に対して斜め上方へ向けて延出して構成されているため、清掃部材６は、スムーズに下水管３内へと挿入する事が出来、下水管３内周面を清掃部材６によって傷つけることなく下水管３下流へと挿入することができる。また、目隠しプレート１５にも挿入口５を構成したことで、わざわざ排水管２を分解しなくても清掃部材６を下水管３へと挿入することができる。
【００２４】
また、本発明は上記実施例に限定されることなく、請求項の範囲を逸脱することない範囲において、設計変更は可能である。
例えば、上記実施例では接続具４は軟質部材で構成されるが、排水管２と下水管３を水密的に接続できればよいので、例えばプラスチックなどの硬質部材から構成されてもかまわない。
また、上記実施例では、目隠しプレート１５の開口を中心部に開口しているが、例えば偏芯して構成されてもかまわない。
また、上記実施例では、排水機器１として流し台や洗面台を用いているが、排水を下水へと排出させる機器であれば特にその形状を問わない。
また、上記実施例では、接続具４と下水管３・排水管２の接続は水密的に当接することで両者を接続しているが、下水管３と排水管２が接続具４によって接続されれば特に問題なく、例えば接着剤によって両者を接続してもかまわない。
また、本願発明は清掃部材６が挿入口５から排水管側へ挿入しやすいように排水管２若しくは下水管３が配管施工されることはもちろんである。
【００２５】
また、上記実施例以外にも、図１２に示したように、床面９の適宜箇所に挿入口５を斜め上方へ向けて延出して構成し、接続具４の挿入口５と連絡管を介して水密的に接続するように構成してもよい。
この場合の実施例においては、目隠しプレート１５等を連絡口１０からわざわざ取り外さなくても、室内側からキャップ部材１１を取り外すだけで清掃部材６を、下水管３内へ挿入することができる。
また、当該連結管１４は硬質材や可撓性を備えた軟質材等で構成してもよい。
【図面の簡単な説明】
【００２６】
【図１】実施例１の施工時の断面図である。
【図２】実施例１の部分断面図である。
【図３】実施例１の一部切り欠き斜視図である。
【図４】本発明の接続具の斜視図である。
【図５】本発明の接続具の一部切り欠き斜視図である。
【図６】実施例１において清掃部材を使用する際の施工断面図である。
【図７】実施例２の部分断面図である。
【図８】実施例２の一部切り欠き斜視図である。
【図９】本発明の目隠しプレートの斜視図である。
【図１０】本発明の目隠しプレートの一部切り欠き斜視図である。
【図１１】実施例２において清掃部材を使用する際の部分断面図である。
【図１２】その他の実施例の部分断面図である。
【図１３】従来例を示す断面図である。
【符号の説明】
【００２７】
１    排水機器
２    排水管
３    下水管
４    接続具
５    挿入口
６    清掃部材
７    室内空間
８    床下空間
９    床面
１０  連絡口
１１  キャップ部材
１２  排水トラップ
１３  開口部
１４  連結管
１５  目隠しプレート
１６  排水口
ＨＳ  はかま空間部
【図１】
2006219961.tif 000003
【図２】
2006219961.tif 000004
【図３】
2006219961.tif 000005
【図４】
2006219961.tif 000006
【図５】
2006219961.tif 000007
【図６】
2006219961.tif 000008
【図７】
2006219961.tif 000009
【図８】
2006219961.tif 000010
【図９】
2006219961.tif 000011
【図１０】
2006219961.tif 000012
【図１１】
2006219961.tif 000013
【図１２】
2006219961.tif 000014
【図１３】
2006219961.tif 000015